(57)【要約】【課題】新聞の複製物を誕生日や記念日の贈り物として送付するサービスにおいて、贈り相手に贈り物をもらえることを意識させずに贈り相手の誕生日や記念日などの年月日を取得することができる年月日取得装置を提供する。【解決手段】年月日取得装置は、質問出力部と、年月日取得部と、前記年月日取得部が取得する年月日または年月日が示す年代に関連する新聞の紙面を提供するサービスにおけるユーザの注文に関連付けられた識別子と、を備える。前記質問出力部は、年月日または年月日が示す年代に係る質問を出力する。前記年月日取得部は、前記質問出力部が出力した質問に対して回答された年月日または年月日が示す年代を取得する。【選択図】図１
2017021716.tif 000002
【特許請求の範囲】
【請求項１】
年月日または年月日が示す年代に係る質問を出力する質問出力部と、
前記質問出力部が出力した質問に対して回答された年月日または年月日が示す年代を取得する年月日取得部と、
前記年月日取得部が取得する年月日または年月日が示す年代に関連する新聞の紙面を提供するサービスにおけるユーザの注文に関連付けられた識別子と、
を備える年月日取得装置。
【請求項２】
前記年月日取得部が取得した年月日または年月日が示す年代を、前記識別子を示す識別情報と共に前記注文を処理する装置に送信する送信部、
を備える請求項１に記載の年月日取得装置。
【請求項３】
データを記憶する記憶部、
を備え、
前記年月日取得部は、取得した年月日または年月日が示す年代を前記記憶部に記録する、
請求項１または請求項２に記載の年月日取得装置。
【請求項４】
前記年月日とは、生年月日であり、
前記質問出力部は、自装置が有する生年月日を利用する機能に基づき、前記生年月日または生年月日が示す年代に係る質問を出力する、
請求項１から請求項３の何れか一項に記載の年月日取得装置。
【請求項５】
新聞の紙面を提供するサービスにおけるユーザの注文に関連付けられた識別子を有する年月日取得装置のコンピュータを、
年月日または年月日が示す年代に係る質問を出力する質問出力手段、
前記質問出力手段が出力した質問に対して回答された年月日または年月日が示す年代を取得する年月日取得手段、
として機能させるプログラム。
【発明の詳細な説明】
【技術分野】
【０００１】
本発明は、年月日取得装置及びプログラムに関する。
【背景技術】
【０００２】
ユーザが指定した日に発行された新聞の紙面を印刷した新聞の複製物を誕生日や記念日の贈り物として送付するサービスが知られている。
特許文献１には、関連する技術として、指定された過去の日付を受け付け、受け付けた過去の日付に発行された新聞の紙面を紙媒体に印刷し、印刷により得た新聞の複製物を出力する新聞出力装置に関する技術が記載されている。
【先行技術文献】
【特許文献】
【０００３】
【特許文献１】特開２０００−３０１４５号公報
【発明の概要】
【発明が解決しようとする課題】
【０００４】
ところで、ユーザが上述のような新聞の複製物を誕生日や記念日などの贈り物として送付するサービスを利用しようとした際に、新聞の複製物を受け取る相手（以下、贈り相手）の生年月日や記念日などの年月日がわからない場合がある。そのような場合、ユーザが贈り相手に生年月日や記念日などの年月日を聞くことが考えられる。しかしながら、贈り相手は、ユーザに生年月日や記念日などの年月日を聞かれた場合、なぜ生年月日や記念日などの年月日を聞くのかユーザに理由を聞く、または、理由を聞かない場合であってもユーザから贈り物をもらえるのではないかと考えることがある。そのため、送り先は、ユーザから贈り物をもらえることをある程度予測でき、驚きが低減してしまう。
そのため、新聞の複製物を誕生日や記念日などの贈り物として送付するサービスにおいて、贈り相手に贈り物をもらえることを意識させずに贈り相手の生年月日や記念日などの年月日を取得することのできる技術が求められていた。
【０００５】
そこでこの発明は、上記の課題を解決することのできる年月日取得装置及びプログラムを提供することを目的としている。
【課題を解決するための手段】
【０００６】
本発明の第１の態様によれば、年月日取得装置は、年月日または年月日が示す年代に係る質問を出力する質問出力部と、前記質問出力部が出力した質問に対して回答された年月日または年月日が示す年代を取得する年月日取得部と、前記年月日取得部が取得する年月日または年月日が示す年代に関連する新聞の紙面を提供するサービスにおけるユーザの注文に関連付けられた識別子と、を備える。
【０００７】
本発明の第２の態様によれば、上述の年月日取得装置は、前記年月日取得部が取得した年月日または年月日が示す年代を、前記識別子を示す識別情報と共に前記注文を処理する装置に送信する送信部、を備える。
【０００８】
本発明の第３の態様によれば、上述の年月日取得装置は、データを記憶する記憶部、を備える。前記年月日取得部は、取得した年月日または年月日が示す年代を前記記憶部に記録する。
【０００９】
本発明の第４の態様によれば、上述の年月日取得装置において、前記年月日とは、生年月日であり、前記質問出力部は、自装置が有する生年月日を利用する機能に基づき、前記生年月日または生年月日が示す年代に係る質問を出力する。
【００１０】
本発明の第５の態様によれば、プログラムは、新聞の紙面を提供するサービスにおけるユーザの注文に関連付けられた識別子を有する年月日取得装置のコンピュータを、生年月日または生年月日が示す年代に係る質問を出力する質問出力手段、前記質問出力手段が出力した質問に対して回答された生年月日または生年月日が示す年代を取得する生年月日取得手段、として機能させる。
【発明の効果】
【００１１】
本発明の年月日取得装置の処理により、新聞の複製物を誕生日や記念日の贈り物として送付するサービスにおいて、贈り相手に贈り物をもらえることを意識させずに贈り相手の誕生日や記念日などの年月日を取得することができる。
【図面の簡単な説明】
【００１２】
【図１】本発明の一実施形態による受発注システムの構成を示す図である。
【図２】本実施形態による年月日取得装置の構成を示す図である。
【図３】本実施形態による年月日取得装置を実現するハードウェアの構成を示す図である。
【図４】本実施形態による年月日取得装置の処理フローを示す図である。
【発明を実施するための形態】
【００１３】
＜実施形態＞
以下、本発明の一実施形態について、図面を参照して詳細に説明する。
まず、本実施形態による受発注システム３の構成について説明する。
本実施形態による受発注システム３は、図１に示すように、発注端末４０と、受注システム５０と、ネットワーク６０と、年月日取得装置７０と、を備える。
【００１４】
発注端末４０は、ユーザが新聞の複製物を誕生日や記念日などに贈るサービス（以下、記念日新聞に係るサービス）を発注するための装置である。例えば、発注端末４０は、ウェブブラウザがインストールされたパーソナルコンピュータ、スマートフォン、タブレット端末などである。なお、記念日新聞に係るサービスは、例えば、過去に発行した新聞の紙面情報を用いてユーザが指定した日付の新聞記事（一面やテレビ欄など）を製本した商品を提供するサービスである。なお、紙面情報とは、過去に発行した新聞の紙面のスキャンデータである。
【００１５】
受注システム５０は、発注端末４０からユーザが発注した記念日新聞に係るサービスを受注する装置である。
受注システム５０は、記念日新聞に係るサービスの注文サイトを管理する。すなわち、受注システム５０は、記念日新聞に係るサービスの注文サイトの情報リソースを記憶する。また、受注システム５０は、発注端末４０が送信したＨＴＭＬのデータ（注文を示すデータ）を受信し、注文を記憶する。また、受注システム５０は、新聞社から提供された過去に発行した新聞の紙面情報を記憶する。また、受注システム５０は、記憶している新聞の紙面情報を読み出す。また、受注システム５０は、新聞社から新規に提供された新聞の紙面情報を記憶する。また、受注システム５０は、発注端末４０から受注した記念日新聞に係るサービスに使用する新聞の紙面情報を印刷し出力する。
受注システム５０は、新聞の紙面情報を記念日新聞に係るサービス、例えば誕生日や記念日に発行された新聞記事を製本に用いる用紙に印刷する。
【００１６】
ネットワーク６０は、例えば、インターネットプロトコル（Ｉｎｔｅｒｎｅｔ  Ｐｒｏｔｏｃｏｌ；ＩＰ）によって通信可能なコンピュータネットワークである。例えば、ネットワーク６０は、インターネットである。なお、ネットワーク６０は、ローカルエリアネットワーク（Ｌｏｃａｌ  Ａｒｅａ  Ｎｅｔｗｏｒｋ；ＬＡＮ）を含んでもよい。
発注端末４０と、受注システム５０とは、ネットワーク６０を介して通信可能に接続されている。
また、年月日取得装置７０と、受注システム５０とは、ネットワーク６０を介して通信可能に接続されている。
【００１７】
ユーザは、発注端末４０のウェブブラウザを用いて受注システム５０が管理する記念日新聞に係るサービスの注文サイトを閲覧し、その注文サイトの注文フォームに従って注文の操作を行う。記念日新聞に係るサービスの注文サイトは、オンラインショップサイトである。例えば、発注端末４０は、ＨＴＴＰ（Ｈｙｐｅｒｔｅｘｔ  Ｔｒａｎｓｆｅｒ  Ｐｒｏｔｏｃｏｌ）またはＨＴＴＰＳ（Ｈｙｐｅｒｔｅｘｔ  Ｔｒａｎｓｆｅｒ  Ｐｒｏｔｏｃｏｌ  Ｓｅｃｕｒｅ）によって、受注システム５０が管理する記念日新聞に係るサービスの注文サイトにアクセスし、受注システム５０からＨＴＭＬ（Ｈｙｐｅｒｔｅｘｔ  Ｍａｒｋｕｐ  Ｌａｎｇｕａｇｅ）の情報リソースを取得する。そして、発注端末４０は、取得した情報リソースをウェブブラウザによって表示部に表示させる。発注端末４０は、ユーザが操作を行うことにより指定した注文を示すデータを、ＨＴＭＬのデータとして受注システム５０に送信する。
【００１８】
受注システム５０は、発注端末４０から受信した注文において新聞が発行された年月日の指定がない場合に、ユーザが指定した送付先に、年月日取得装置７０を発送する。
年月日取得装置７０は、発注端末４０から受信した注文に関連付けられた識別子を有する装置であり、例えば、歩数計、体重計、クイズを出題するゲーム機などである。
【００１９】
贈り相手は、年月日取得装置７０が自身の住所に発送された場合には直接、年月日取得装置７０がユーザの住所に発送された場合にはユーザを介して間接的に、年月日取得装置７０を受け取る。贈り相手が年月日取得装置７０を利用する所定の操作を行うと、年月日取得装置７０は、年月日取得装置７０が有する生年月日を利用する機能に基づき誕生日や記念日の年月日または年月日が示す年代に係る質問を出力し、贈り相手自身に年月日または年月日が示す年代を回答させる。例えば、年月日取得装置７０が歩数計である場合、年月日取得装置７０は、「消費カロリーを計算するため、生年月日を入力してください」と表示し、贈り相手に年月日を回答させる。また、例えば、年月日取得装置７０が体重計である場合、年月日取得装置７０は、「体脂肪を計算するため、生年月日を入力してください」と表示し、贈り相手に年月日を回答させる。また、例えば、年月日取得装置７０がクイズを出題するゲーム機である場合、年月日取得装置７０は、「子供の頃の記憶力を試すため、生年月日を入力してください」と表示し、贈り相手に年月日を回答させる。または、年月日取得装置７０は、「芸能」、「流行」、「遊び」など年齢を推定するためのクイズを出題し、贈り相手に回答させる。年月日取得装置７０は、贈り相手のクイズの回答から贈り相手の年齢を推定する。すなわち、年月日取得装置７０がクイズを出題するゲーム機である場合、年月日取得装置７０は、贈り相手にクイズを回答させることにより、間接的に年月日が示す年代を回答させたことになる。また、年月日取得装置７０がクイズを出題するゲーム機である場合、年月日取得装置７０は、「次に示す記念日の年月日を入力してください」と表示し、贈り相手に記念日の年月日を回答させる。
なお、取得したい年月日が生年月日である場合、質問出力部１２は、年月日取得装置７０が有する生年月日を利用する機能に基づき、「消費カロリーを計算するため、生年月日を入力してください」や「体脂肪を計算するため、生年月日を入力してください」と任意の記念日よりも贈り相手により贈り物がもらえることを意識させずに回答させることができる。
【００２０】
年月日取得装置７０は、贈り相手が回答した年月日または年月日が示す年代を取得する。年月日取得装置７０は、取得した年月日または年月日が示す年代と注文に関連付けられた識別子とをネットワーク６０を介して受注システム５０に送信する。例えば、年月日取得装置７０が歩数計である場合、年月日取得装置７０を身に着けた贈り相手がＷｉＦｉ（登録商標）のフリースポットに移動した際に、年月日取得装置７０はフリースポットを介してネットワーク６０に接続し、取得した年月日と注文に関連付けられた識別子を示す識別情報とを受注システム５０に送信する。また、例えば、年月日取得装置７０が体重計である場合、贈り相手が体脂肪を管理するためにＰＣ（パーソナルコンピュータ）に年月日取得装置７０を接続した際に、年月日取得装置７０は、ネットワーク６０を介して取得した年月日と注文に関連付けられた識別子とを受注システム５０に送信する。また、例えば、年月日取得装置７０がクイズを出題するゲーム機である場合、ゲームを行うために年月日取得装置７０がネットワーク６０に接続された際に、年月日取得装置７０は、ネットワーク６０を介して取得した年月日と注文に関連付けられた識別子とを受注システム５０に送信する。
なお、注文に関連付けられた識別子が年月日取得装置７０に貼り付けられたシールや刻印されたシリアルナンバーなどである場合、識別子を示す識別情報は、シリアルナンバーなどに相当する識別子を示す通信可能なデータである。また、注文に関連付けられた識別子が年月日取得装置７０の記憶部が記憶するＩＤ（ＩＤｅｎｔｉｆｉｃａｔｉｏｎ）である場合、識別子を示す識別情報は、記憶部が記憶するＩＤそのものであってもよい。また、注文に関連付けられた識別子が年月日取得装置７０の記憶部が記憶するＩＤである場合、識別子を示す識別情報は、記憶部が記憶するＩＤを示す通信可能なデータであってもよい。
【００２１】
受注システム５０は、年月日取得装置７０からネットワーク６０を介して年月日または年月日が示す年代と共に注文に関連付けられた識別子とを受信する。
受注システム５０は、受信した年月日または年月日が示す年代と、注文に関連付けられた識別子と、発注端末４０から受信した注文とに基づいて、発注端末４０から受注した記念日新聞に係るサービスに使用する新聞の紙面情報を特定する。具体的には、受注システム５０は、記憶している新聞の紙面情報を読み出す。受注システム５０は、読み出した紙面情報と特定した紙面情報とを比較し、読み出した紙面情報において特定した紙面情報に一致する紙面情報を特定する。
受注システム５０は、特定した紙面情報を記念日新聞に係るサービス、例えば年月日に基づいて紙面情報を特定した場合、誕生日や記念日に発行された新聞記事を製本に用いる用紙に印刷する。また、受注システム５０は、例えば年月日が示す年代に基づいて紙面情報を特定した場合、０歳の年に発行された新聞記事と、０歳から現在までの主な出来事に関する新聞記事とを製本に用いる用紙に印刷する。受注システム５０が印刷した用紙は、製本され、注文票と共にユーザが指定した住所へ送付される。
【００２２】
次に、本実施形態による年月日取得装置７０の構成について説明する。
年月日取得装置７０は、図２に示すように、送信部１０と、質問出力部１２と、年月日取得部１４と、記憶部３０と、を備える。
【００２３】
送信部１０は、ネットワーク６０を介して受注システム５０にデータを送信する。
質問出力部１２は、誕生日や記念日などの年月日または年月日が示す年代に係る質問を出力する。
年月日取得部１４は、質問出力部１２が出力した質問に対して回答された年月日または年月日が示す年代を取得する。
記憶部３０は、年月日取得部１４が取得した年月日または年月日が示す年代を記憶する。
【００２４】
次に、図２で示した年月日取得装置７０を実現するハードウェアの構成について説明する。
図２で示した年月日取得装置７０は、図３に示すように、ＣＰＵ部２８と、送信部１０と、記憶部３０と、を備える。ＣＰＵ部２８は、年月日取得装置７０の制御を行う。この制御機能は、ＣＰＵ部２８がコンピュータプログラムを実行することにより実現される。送信部１０は、他の装置にデータを送信する。記憶部３０は、ＣＰＵ部２８で実行されるコンピュータプログラムや各種のデータを記憶する。記憶部３０は、年月日取得プログラム３２を記憶している。
【００２５】
図２で示した質問出力部１２、年月日取得部１４のそれぞれは、図３で示したＣＰＵ部２８が記憶部３０の記憶する年月日取得プログラム３２を実行することにより実現される。
【００２６】
次に、受発注システム３における年月日取得装置７０の処理について説明する。
ここでは、図４に示す年月日取得装置７０の処理フローについて説明する。
【００２７】
発注端末４０は、ユーザ操作により記念日新聞に係るサービスの注文サイトにアクセスする。発注端末４０は、受注システム５０からＨＴＭＬの情報リソース（受付画面データ）を取得する。発注端末４０は、取得した情報リソースをウェブブラウザによって発注端末４０の表示部（図示せず）に表示させる。ここで、記念日新聞に係るサービスが複数ある場合、ユーザは複数の記念日新聞に係るサービスから１つを指定する操作を発注端末４０に対して行う。発注端末４０は、受注システム５０からＨＴＭＬの情報リソース（受付画面データ）を取得する。発注端末４０は、取得した情報リソースをウェブブラウザによって発注端末４０の表示部に表示させる。なお、以下では、発注端末４０が表示部に受付画面を表示させる際に行う、ＨＴＭＬの情報リソース（受付画面データ）の取得についての記述は省略する。
【００２８】
発注端末４０は、ユーザ操作により注文サイトの受付画面を発注端末４０の表示部に表示させる。発注端末４０の表示部が表示する受付画面は、例えば、図５及び図６で示した受付画面である。
【００２９】
ユーザは、発注端末４０の表示部が表示する受付画面において記念日新聞を注文する操作を行う。
発注端末４０は、ユーザ操作に応じて、ユーザが指定した住所（例えば、ユーザの住所、贈り相手の住所など）を含む注文情報をネットワーク６０を介して受注システム５０に送信する。
【００３０】
受注システム５０は、発注端末４０から注文情報を受信し、注文情報に新聞の発行された年月日の指定が含まれていない場合に、注文情報に含まれるユーザが指定した住所（例えば、ユーザの住所、贈り相手の住所など）に、年月日取得装置７０を発送する。
【００３１】
贈り相手は、年月日取得装置７０が自身の住所に発送された場合には直接、年月日取得装置７０がユーザの住所に発送された場合にはユーザを介して間接的に、年月日取得装置７０を受け取る。贈り相手が年月日取得装置７０を利用する所定の操作を行うと、質問出力部１２は、誕生日や記念日などの年月日または年月日が示す年代に係る質問を出力し（ステップＳ１）、贈り相手自身に年月日または年月日が示す年代を回答させる。例えば、年月日取得装置７０が歩数計である場合、質問出力部１２は、「消費カロリーを計算するために生年月日を入力してください」と表示し、贈り相手に年月日を回答させる。また、例えば、年月日取得装置７０が体重計である場合、質問出力部１２は、「体脂肪を計算するため、生年月日を入力してください」と表示し、贈り相手に年月日を回答させる。例えば、年月日取得装置７０がクイズを出題するゲーム機である場合、質問出力部１２は、「子供の頃の記憶力を試すため、生年月日を入力してください」と表示し、贈り相手に年月日を回答させる。または、質問出力部１２は、「芸能」、「流行」、「遊び」など年齢を推定するためのクイズを出題し、贈り相手に年月日を回答させる。また、年月日取得装置７０がクイズを出題するゲーム機である場合、年月日取得装置７０は、「次に示す記念日の年月日を入力してください」と表示し、贈り相手に記念日の年月日を回答させる。
【００３２】
贈り相手が年月日取得装置７０に対して誕生日や記念日などの年月日または年月日が示す年代に係る質問に回答する操作を行うと、年月日取得部１４は、その操作に応じて回答された年月日または年月日が示す年代を取得する（ステップＳ２）。具体的には、贈り相手が年月日取得装置７０に対して年月日を回答する操作を行った場合には、年月日取得部１４は、その操作に応じて、贈り相手の年月日を取得する。また、贈り相手が年月日取得装置７０に対して年齢を推定するためのクイズに回答する操作を行った場合には、年月日取得部１４は、その操作に応じて取得した回答から、贈り相手の生年月日が示す年代を推定する。例えば、質問出力部１２が「子供の頃に人気のあったアイドル」について質問した際に、年月日取得部１４が「アイドルＡ」という回答を取得し、アイドルＡの活躍した年代が１９８０年から１９９０年であった場合、年月日取得部１４は、「アイドルＡ」が活躍した年代の中央を示す１９８５年から、予め定められた子供を示す年齢（例えば１０歳）を減じて、贈り相手の生年月日が示す年代を１９７５年頃と推定する。
年月日取得部１４は、取得した年月日または年月日が示す年代を送信部１０を介して受注システム５０に送信する（ステップＳ３）。
【００３３】
受注システム５０は、年月日取得装置７０からネットワーク６０を介して年月日または年月日が示す年代を受信する。
受注システム５０は、受信した年月日または年月日が示す年代と、発注端末４０から受信した注文とに基づいて、発注端末４０から受注した記念日新聞に係るサービスに使用する新聞の紙面情報を特定する。具体的には、受注システム５０は、記憶している新聞の紙面情報を読み出す。受注システム５０は、読み出した紙面情報と特定した紙面情報とを比較し、読み出した紙面情報において特定した紙面情報に一致する紙面情報を特定する。
受注システム５０は、特定した紙面情報を記念日新聞に係るサービス、例えば年月日に基づいて紙面情報を特定した場合、誕生日や記念日に発行された新聞記事を製本に用いる用紙に印刷する。また、受注システム５０は、例えば年月日が示す年代に基づいて紙面情報を特定した場合、０歳の年に発行された新聞記事と、０歳から現在までの主な出来事に関する新聞記事とを製本に用いる用紙に印刷する。受注システム５０が印刷した用紙は、製本され、注文票と共にユーザが指定した住所へ送付される。
【００３４】
以上、本発明の一実施形態による年月日取得装置７０について説明した。上述の年月日取得装置７０において、質問出力部１２は、誕生日や記念日などの年月日または年月日が示す年代に係る質問を出力する。年月日取得部１４は、質問出力部１２が出力した質問に対して回答された年月日または年月日が示す年代を取得する。
こうすることで、新聞の複製物を誕生日や記念日の贈り物として送付するサービスにおいて、年月日取得装置７０は、贈り相手に贈り物をもらえることを意識させずに贈り相手の誕生日や記念日などの年月日を取得することができる。
【００３５】
また、上述の年月日取得装置７０において、年月日とは、生年月日であり、質問出力部１２は、年月日取得装置７０が有する生年月日を利用する機能に基づき、生年月日または生年月日が示す年代に係る質問を出力する。
こうすることで、質問出力部１２は、年月日取得装置７０が有する歩数計が有するユーザの消費エネルギーに関する生年月日を利用する機能や、体重計が有するユーザの体脂肪計測に関する生年月日を利用する機能に基づいて、新聞の複製物を誕生日や記念日の贈り物として送付するサービスにおいて、より贈り相手に贈り物をもらえることを意識させずに贈り相手の生年月日を取得することができる。
【００３６】
なお、本実施形態による年月日取得装置７０が行うステップＳ３の処理は、年月日取得部１４が取得した年月日または年月日が示す年代を送信部１０を介して受注システム５０に送信する処理に限定するものではない。例えば、年月日取得装置７０が行うステップＳ３の処理は、年月日取得部１４が取得した年月日または年月日が示す年代を記憶部３０に記録するものであってもよい。この場合、贈り相手が、年月日または年月日が示す年代を記憶する年月日取得装置７０を新聞の複製物を誕生日や記念日の贈り物として送付するサービスの提供者に送付すればよい。サービスの提供者は、年月日取得装置７０が記憶する年月日または年月日が示す年代を受注システム５０に読み込ませる。受注システム５０は、読み込んだ年月日または年月日が示す年代に基づいて印刷を行えばよい。
【００３７】
なお、本発明における記憶部やメモリは、適切な情報の送受信が行われる範囲においてどこに備えられていてもよい。また、記憶部やメモリは、適切な情報の送受信が行われる範囲において複数存在しデータを分散して記憶していてもよい。
【００３８】
なお本発明の実施形態における処理フローは、適切な処理が行われる範囲において、処理の順番が入れ替わってもよい。
【００３９】
なお本発明の実施形態について説明したが、上述の年月日取得装置７０は内部に、コンピュータシステムを有している。そして、上述した処理の過程は、プログラムの形式でコンピュータ読み取り可能な記憶部に記憶されており、このプログラムをコンピュータが読み出して実行することによって、上記処理が行われる。ここでコンピュータ読み取り可能な記憶部とは、磁気ディスク、光磁気ディスク、ＣＤ−ＲＯＭ、ＤＶＤ−ＲＯＭ、半導体メモリ等をいう。また、このコンピュータプログラムを通信回線によってコンピュータに配信し、この配信を受けたコンピュータが当該プログラムを実行するようにしてもよい。
【００４０】
また、上記プログラムは、前述した機能の一部を実現するためのものであってもよい。さらに、前述した機能をコンピュータシステムにすでに記録されているプログラムとの組み合わせで実現できるもの、いわゆる差分ファイル（差分プログラム）であってもよい。
【００４１】
本発明のいくつかの実施形態を説明したが、これらの実施形態は、例として提示したものであり、発明の範囲を限定するものではない。また、発明の要旨を逸脱しない範囲で、種々の省略、置き換え、変更を行うことができるものである。
【００４２】
なお、上記の実施形態の一部又は全部は、以下の付記のようにも記載されうるが、以下には限られない。
【００４３】
（付記１）質問出力部は、年月日または年月日が示す年代に係る質問を出力し、
年月日取得部は、前記質問出力部が出力した質問に対して回答された年月日または年月日が示す年代を取得する、
前記年月日取得部が取得する年月日または年月日が示す年代に関連する新聞の紙面を提供するサービスにおけるユーザの注文に関連付けられた識別子を備える年月日取得装置の年月日取得方法。
【符号の説明】
【００４４】
３・・・受発注システム
１０・・・送信部
１２・・・質問出力部
１４・・・年月日取得部
３０・・・記憶部
４０・・・発注端末
５０・・・受注システム
６０・・・ネットワーク
７０・・・年月日取得装置
【図１】
2017021716.tif 000003
【図２】
2017021716.tif 000004
【図３】
2017021716.tif 000005
【図４】
2017021716.tif 000006